(57)【要約】【課題】  基板を交換して装着可能な記録装置において、サイズの異なる基板に対応して基板を確実に支持・固定できるようにすることが可能な記録装置、及び、記録装置の組立方法を提供する。【解決手段】  本体フレーム２４ｆに位置決め孔及びピン２４ａを介して記録機構部２０を位置決めし、この記録機構部２０を制御するメイン基板１０をベースフレーム開口部２４ａを貫通して立設し、このメイン基板１０の開口下に延在する基板コネクタ１０ｉに本体フレーム２０ｆの下方に配置したインタフェース基板１１を差し込んで接続し、インタフェース基板１１の非接続側端部を、インタフェース基板カバーを介して支持したサーマルプリンタにおいて、インタフェース基板１１を支持する底板及びインタフェース基板カバーを移動可能にする。【選択図】      図５
2007021999.tif 000002
【特許請求の範囲】
【請求項１】
本体フレームの載置部に第１の位置決め手段を介して記録機構部を位置決めし、この記録機構部を制御する第１の基板を本体フレームの開口を貫通して立設し、この第１の基板の開口下に延在するスロットに本体フレームの下方に配置した第２の基板を差し込んで接続し、第２の基板の非接続側端部を、基板支持部を介して、本体フレームに支持した記録装置において、
前記第２の基板として長さの異なる複数の基板を選択可能とし、長い基板または短い基板の選択状況に応じ、前記基板支持部を移動可能にすると共に、この基板支持部を前記第１の位置決め手段を有した前記載置部に位置決めする第２の位置決め手段を備えたことを特徴とする記録装置。
【請求項２】
前記第２の基板の非接続側端部には外部機器に接続可能なコネクタが配設され、前記基板支持部は、前記コネクタが露出した状態で前記非接続側端部を支持することを特徴とする請求項１記載の記録装置。
【請求項３】
前記第２の位置決め手段が前記基板支持部に設けた突起または嵌合孔と、突起または嵌合孔に係合する、前記載置部に設けた嵌合孔または突起で構成されることを特徴とする請求項１または２記載の記録装置。
【請求項４】
前記嵌合孔が前記基板支持部の移動方向に長く延びる長孔であることを特徴とする請求項３記載の記録装置。
【請求項５】
前記第２の位置決め手段が前記基板支持部の幅方向に間隔をあけて２個以上設けられていることを特徴とする請求項１乃至４のいずれか一項記載の記録装置。
【請求項６】
前記第２の位置決め手段に隣接して前記本体フレーム及び前記基板支持部の止めねじが設けられることを特徴とする請求項１乃至５のいずれか一項記載の記録装置。
【請求項７】
本体フレームの載置部に第１の位置決め手段を介して記録機構部を位置決めし、この記録機構部を制御する第１の基板を本体フレームの開口を貫通して立設し、この第１の基板の開口下に延在するスロットに本体フレームの下方に配置した第２の基板を差し込んで接続し、第２の基板の非接続側端部を、基板支持部を介して、本体フレームに支持する記録装置の組立方法において、
前記第２の基板に長さの異なる複数の基板を選択可能とし、長い基板または短い基板の選択状況に応じ、前記基板支持部を移動させると共に、この基板支持部を前記第１の位置決め手段を有した前記載置部に第２の位置決め手段を介して位置決めすることを特徴とする記録装置の組立方法。
【発明の詳細な説明】
【技術分野】
【０００１】
本発明は、記録機構部とこの記録機構部を制御する基板とを備えた記録装置、及び、この記録装置の組立方法に関する。
【背景技術】
【０００２】
従来、外部機器に接続可能なコネクタを備えた記録装置において、接続対象の機器に応じてコネクタの種類を変更可能な記録装置が知られている（例えば、特許文献１参照）。この種のものでは、コネクタの種類を変更する際に、予め複数種類のコネクタが基板に実装されており、必要に応じてコネクタを選択するものが知られている。また、コネクタを備えた基板そのものを交換して、別の種類のコネクタを利用可能とするものがある。
【特許文献１】特開２００４−３２２４６４号公報
【発明の開示】
【発明が解決しようとする課題】
【０００３】
ところで、上述のように基板を交換する場合、実装上の都合から、サイズが異なる基板を交換して利用することがある。この場合、基板を確実に支持・固定するためには、基板のサイズに合わせて、記録装置の各部の位置等を変更できるようにしなければならないが、このような変更は多くの仕様変更や部品の交換を必要とし、実現が困難であった。
【０００４】
本発明は、上述した事情に鑑みてなされたものであり、基板を交換して装着可能な記録装置において、サイズの異なる基板に対応して基板を確実に支持・固定できるようにすることが可能な記録装置、及び、この記録装置の組立方法を提供することを目的とする。
【課題を解決するための手段】
【０００５】
上記課題を解決するため、本発明は、本体フレームの載置部に第１の位置決め手段を介して記録機構部を位置決めし、この記録機構部を制御する第１の基板を本体フレームの開口を貫通して立設し、この第１の基板の開口下に延在するスロットに本体フレームの下方に配置した第２の基板を差し込んで接続し、第２の基板の非接続側端部を、基板支持部を介して、本体フレームに支持した記録装置において、前記第２の基板として長さの異なる複数の基板を選択可能とし、長い基板または短い基板の選択状況に応じ、前記基板支持部を移動可能にすると共に、この基板支持部を前記第１の位置決め手段を有した前記載置部に位置決めする第２の位置決め手段を備えたことを特徴としている。
この構成によれば、第２の基板として長さの異なる複数の基板を選択可能とし、長い基板または短い基板の選択状況に応じて基板支持部を移動可能にすると共に、この基板支持部を第１の位置決め手段を有した載置部に位置決めする第２の位置決め手段を備えたので、基板支持部の位置を第２の基板の長さに応じて最適な位置にすることができ、第２の基板を確実に支持・固定できる。また、記録機構部と基板支持部とが本体フレームを基準として位置決めされるので、正確な位置決めを行うことができ、高い精度で組立可能な記録装置を提供できる。
【０００６】
本発明において、前記第２の基板の非接続側端部には外部機器に接続可能なコネクタが配設され、前記基板支持部は、前記コネクタが露出した状態で前記非接続側端部を支持する構成としてもよい。この場合、基板支持部によって第２の基板をより確実に支持・固定できる。
また、本発明において、前記第２の位置決め手段が前記基板支持部に設けた突起または嵌合孔と、突起または嵌合孔に係合する、前記載置部に設けた嵌合孔または突起で構成されるようにしてもよい。すなわち、第２の位置決め手段は、基板支持部に設けた突起と載置部に設けた嵌合孔、或いは、載置部に設けた突起と基板支持部に設けた嵌合孔によって構成される。この場合、突起と嵌合孔からなるシンプルな構成により、第２の基板が確実に支持・固定され、且つ正確な位置決めを行える記録装置を容易に実現できる。
さらに、前記嵌合孔が前記基板支持部の移動方向に長く延びる長孔である構成としてもよい。この場合、第２の基板が確実に支持・固定され、且つ正確な位置決めを行うことができる記録装置を、よりシンプルな構成により容易に実現できる。
また、前記第２の位置決め手段が前記基板支持部の幅方向に間隔をあけて２個以上設けられている構成としてもよい。この場合、２個以上の位置決め手段によって、基板支持部が本体フレームに対して傾くことがなく、正確に移動させることができる。
前記第２の位置決め手段に隣接して前記本体フレーム及び前記基板支持部の止めねじが設けられる構成としてもよい。この場合、基板支持部の位置決めを行った後、その位置をずらすことなく確実に基板支持部を固定できる。
【０００７】
本発明は、本体フレームの載置部に第１の位置決め手段を介して記録機構部を位置決めし、この記録機構部を制御する第１の基板を本体フレームの開口を貫通して立設し、この第１の基板の開口下に延在するスロットに本体フレームの下方に配置した第２の基板を差し込んで接続し、第２の基板の非接続側端部を、基板支持部を介して、本体フレームに支持する記録装置の組立方法において、前記第２の基板に長さの異なる複数の基板を選択可能とし、長い基板または短い基板の選択状況に応じ、前記基板支持部を移動させると共に、この基板支持部を前記第１の位置決め手段を有した前記載置部に第２の位置決め手段を介して位置決めすることを特徴としている。
この場合、第２の基板として長さの異なる複数の基板を選択可能とし、長い基板または短い基板の選択状況に応じて基板支持部を移動させると共に、この基板支持部を第１の位置決め手段を有した載置部に位置決めする第２の位置決め手段を介して位置決めするので、基板支持部の位置を第２の基板の長さに応じて最適な位置とすることができ、第２の基板が確実に支持・固定され、且つ、記録機構部と基板支持部とが本体フレームを基準として位置決めされるので、正確な位置決めを行える。
【発明の効果】
【０００８】
本発明によれば、基板支持部の位置を第２の基板の長さに応じて最適な位置に移動することができ、第２の基板が確実に支持・固定され、さらに、記録機構部と基板支持部とが本体フレームを基準として位置決めされるので、正確な位置決めを行うことができ、容易に、高い精度で記録装置を組み立てることが可能となる。
【発明を実施するための最良の形態】
【０００９】
以下、図面を参照して本発明の実施形態について説明する。
図１は、本発明を適用した一実施形態に係る記録装置としてのサーマルプリンタ１００の外観斜視図である。サーマルプリンタ１００は、複数の発熱抵抗体が並べて配置されたサーマルヘッド８（図４）により、主にロール状のサーマル紙（感熱紙）である記録媒体（以下、ロール紙とする。）の記録面に対して、文字を含む画像を記録するものである。
サーマルプリンタ１００は、図１に示すように、メインケース１にロール紙カバー２及びカッタカバー３を組み付けて構成される略箱形の外装を有する。メインケース１は、サーマルプリンタ１００の前面下部から左右の側面を経て側面を形成する。また、メインケース１は、サーマルプリンタ１００の左右側面から上面における前後方向略中央部に延設される。また、サーマルプリンタ１００は、その前面上部から上面前部にかけてカッタカバー３により覆われ、サーマルプリンタ１００の上面略中央部から後端はロール紙カバー２により覆われる。従って、サーマルプリンタ１００の上面においては、前方から順に、カッタカバー３、メインケース１、ロール紙カバー２が配設されている。
ロール紙カバー２は、サーマルプリンタ１００の上面後端を中心として上方に回りながら開放可能であり、例えば、後述するロール紙ホルダ２６（図２）にロール紙をセットする場合等に開放される。カッタカバー３は、サーマルプリンタ１００の上面における後端部を中心として上方に開放可能に構成され、例えば、後述するオートカッタユニット９（図２）の設定を行う場合等に開放され、通常時（記録動作時等）は閉じられる。
【００１０】
サーマルプリンタ１００の前面において、カッタカバー３の中央には凹部が形成され、この凹部の下端にはコントロールパネル６が配設される。コントロールパネル６は、後述するメイン基板１０（図４）上の回路に電気的に接続された各種スイッチ及びインジケータ類を備え、具体的には、ロール紙の送り出しを指示するための紙送りボタン６ａ、サーマルプリンタ１００の動作状態を報知するインジケータ６ｂ等を備える。また、メインケース１の前面下隅部には、サーマルプリンタ１００の電源をＯＮ／ＯＦＦする電源スイッチ５が配置されている。
また、サーマルプリンタ１００の上面において、メインケース１とロール紙カバー２との境界には紙出口１６が形成される。紙出口１６のメインケース１側には切刃を有するマニュアルカッタ４が設けられ、紙出口１６から排出されたロール紙をマニュアルカッタ４の切刃に押し付けて、手で切断できるようになっている。
【００１１】
図２は、記録機構部２０の斜視図であり、図３は、本体フレーム２０ｆの背面斜視図である。
図２及び図３に示すように、サーマルプリンタ１００が内蔵する記録機構部２０は、左サイドフレーム２１、右サイドフレーム２２、及びベースフレーム２４（載置部）からなる本体フレーム２０ｆを備える。
ベースフレーム２４は、略水平の上板と、この上板の前端部を略直角に下方に折り曲げて構成される前側板２４ｄと、上板の左側端部を略直角に下方に折り曲げて構成される左側板２４ｅと、上板の右側端部を略直角に下方に折り曲げて構成される右側板２４ｆとを有する。前側板２４ｄの隅部には上述した電源スイッチ５が配設され、左側板２４ｅ及び右側板２４ｆには、サーマルプリンタ１００の底面側に突出し、設置面に当接する脚部２８が２個ずつ配置されている。
【００１２】
ベースフレーム２４の上には、左サイドフレーム２１及び右サイドフレーム２２が、記録機構部２０の両端部において互いに対向するように配置され、左サイドフレーム２１と右サイドフレーム２２との間にはフロントフレーム２３が掛け渡されている。
左サイドフレーム２１及び右サイドフレーム２２の前部には、フロント基板カバー１２及びリア基板カバー１３がベースフレーム２４に対して略垂直に立設され、その上にオートカッタユニット９が載置されている。
また、左サイドフレーム２１及び右サイドフレーム２２の後部には、ロール紙を収容するロール紙ホルダ２６が配設される。このロール紙ホルダ２６の上方には、ロール紙カバーフレーム２５が、左サイドフレーム２１及び右サイドフレーム２２にヒンジ２７を介して支持される。このロール紙カバーフレーム２５には上述したロール紙カバー２（図１）が固定され、ヒンジ２７を支点としてロール紙カバーフレーム２５と共に上方に開放可能となっている。
【００１３】
図４は、サーマルプリンタ１００の断面視図である。
図４に示すように、ロール紙ホルダ２６とフロントフレーム２３との間において、ヘッドフレーム８０が左サイドフレーム２１及び右サイドフレーム２２に架け渡され、このヘッドフレーム８０にはサーマルヘッド８が配設される。サーマルヘッド８は、その長手方向（すなわち、ロール紙の幅方向）に直線をなして並ぶ多数の発熱素子（図示略）を備え、ロール紙の記録面に接してロール紙を加熱することにより、文字を含む画像を記録する記録ヘッドである。
また、ロール紙カバーフレーム２５の前端部には、サーマルヘッド８に対向してプラテン７が配設される。プラテン７は搬送モータ（図示略）の動力により回転される丸プラテンであって、その回転動作によりロール紙を搬送する。すなわち、プラテン７は、ロール紙ホルダ２６から引き出されたロール紙の裏面に接して、このロール紙をロール紙ホルダ２６から続けて引き出しつつ、紙出口１６へ向けて図中上方へ押し出すように搬送する。
プラテン７及びサーマルヘッド８の上方に位置するオートカッタユニット９は、可動刃９ａと、この可動刃９ａに対してロール紙の搬送路を挟んで対向する固定刃９ｂとを備え、可動刃９ａを動作させることにより、プラテン７により搬送されたロール紙が可動刃９ａと固定刃９ｂとに挟まれて切断される。
【００１４】
プラテン７及び固定刃９ｂはロール紙カバーフレーム２５の前部に支持されており、ロール紙カバー２の開放時に、ロール紙カバーフレーム２５と共に上後方に移動する。即ち、ロール紙カバー２を開放することにより、サーマルヘッド８及び可動刃９ａと、プラテン７及び固定刃９ｂとが離隔され、後述するようにロール紙をセットすることができる。
【００１５】
オートカッタユニット９の底板の端部は上方に曲げられてガイド９ｃとなっており、プラテン７により搬送されたロール紙を可動刃９ａと固定刃９ｂとの間に案内する。
また、プラテン７の後方に位置するロール紙ホルダ２６には、ロール紙の残量を検出するニアエンド検出器１７が配設され、このニアエンド検出器１７の検出結果に基づいて、インジケータ６ｂによりロール紙の残量が報知される。
【００１６】
ロール紙をサーマルプリンタ１００にセットする手順は以下の通りである。まず、ロール紙カバー２を開き、ロール紙をロール紙ホルダ２６に投入する。続いてロール紙の先端を紙出口１６の上に達するまで引き出し、この状態でロール紙カバー２を綴じる。このとき、ロール紙の先端が自然に可動刃９ａと固定刃９ｂとの間、及び、サーマルヘッド８とプラテン７との間に挟まれ、さらにロール紙カバーフレーム２５によりロール紙の側端部が規制されて、ロール紙のセットが完了する。
そして、記録動作時には、プラテン７によりロール紙が引き出されるとともにサーマルヘッド８によって画像が記録される。このロール紙はプラテン７によって紙出口１６へ向けて搬送され、画像が記録された部分が紙出口１６から外部に搬出されたところで、オートカッタユニット９が動作してロール紙が切断される。
【００１７】
図４に示すように、フロント基板カバー１２及びリア基板カバー１３の間にメイン基板（第１の基板）１０が縦置きに配設されている。メイン基板１０は、フロント基板カバー１２及びリア基板カバー１３により電磁的にシールドされ、さらに、リア基板カバー１３に固定される。このメイン基板１０は、サーマルプリンタ１００全体を制御する制御基板であり、具体的には、搬送モータ（図示略）を駆動してプラテン７を回転させるとともに、所定の印刷データに基づいてサーマルヘッド８が有する発熱素子（図示略）を発熱させ、ロール紙に対する記録制御を行う。
メイン基板１０の上部にはフラットケーブルコネクタ１０ｆが設けられ、このフラットケーブルコネクタ１０ｆには、サーマルヘッド８に接続されたフラットケーブル１５が差し込まれており、このフラットケーブル１５を介してサーマルヘッド８の発熱素子（図示略）がメイン基板１０に実装された制御回路により制御される。
【００１８】
図５は、記録機構部２０の斜視図である。
この図５に示すように、上述したフロント基板カバー１２、リア基板カバー１３、及び、メイン基板１０の下部は、ともにベースフレーム２４に設けられたベースフレーム開口部２４ａ（開口）を貫通して、底板２９（基板支持部）近傍まで延設される。リア基板カバー１３には、ベースフレーム２４よりも下方の位置においてリア基板カバー開口部１３ａが設けられ、このリア基板カバー開口部１３ａと同じ高さ位置において、メイン基板１０には基板コネクタ１０ｉ（スロット）が配設される。
【００１９】
基板コネクタ１０ｉにはインタフェース基板１１（第２の基板）が接続される。基板コネクタ１０ｉはボードツーボードコネクタであり、インタフェース基板１１の先端に形成された端子部を基板コネクタ１０ｉに差し込むことで、インタフェース基板１１に実装されたインタフェース回路とメイン基板１０上の回路とが接続される。インタフェース基板１１のインタフェース回路は、サーマルプリンタ１００をコンピュータやキャッシュドロア等の各種機器に接続するための回路であり、このインタフェース回路にはインタフェース基板１１の後端に配設された外部コネクタ３１（コネクタ）が接続される。インタフェース基板１１の後端部はリア基板カバー開口部１３ａを貫通してサーマルプリンタ１００の略中央に達する。
【００２０】
図６は、サーマルプリンタ１００を底面から見た斜視図であり、図７はインタフェース基板カバー３０を除いた状態を特に示す斜視図である。
サーマルプリンタ１００の底面を構成する底板２９は、サーマルプリンタ１００の前後方向中央において略直角に上方に折り曲げられて後端面が形成され、この後端面に底板開口部２９ａが設けられている。インタフェース基板１１の後端は、底板開口部２９ａから突出する位置にあり、底板２９の後端面に取り付けられるインタフェース基板カバー３０（基板支持部）により覆われる。そして、インタフェース基板１１の後端に配設された外部コネクタ３１は、インタフェース基板カバー３０に設けられた孔から露出する構成となっている。
【００２１】
底板２９の底板開口部２９ａの両側方にはねじ孔２９ｂが穿設され、このねじ孔２９ｂとねじ３２とによって、インタフェース基板カバー３０が底板２９にねじ止めされる。
そして、インタフェース基板１１の外部コネクタ３１は、インタフェース基板カバー３０の後端面にねじ止めされて固定される。なお、インタフェース基板１１の外部コネクタ３１近傍にブラケットを設けて、このブラケットとインタフェース基板カバー３０の後端面とをねじ止めしてもよい。
【００２２】
以上のように、サーマルプリンタ１００は、本体フレーム２０ｆに各部を組み付けた構成となっており、特に、ベースフレーム２４に立設される左サイドフレーム２１及び右サイドフレーム２２によって、その位置が決定される。
図５に示すように、ベースフレーム２４の左側部には、その上面に突出する円柱状のピン２４ｂ（第１の位置決め手段）が形成される。一方、図３に示すように、左サイドフレーム２１の下端は折り曲げられて略水平の台座となっており、この台座には、ピン２４ｂと略同径の円形の位置決め孔２１ａが形成される。そして、ベースフレーム２４のピン２４ｂを、左サイドフレーム２１の位置決め孔２１ａ（第１の位置決め手段）に嵌合させることにより、ベースフレーム２４と左サイドフレーム２１とが位置決めされる。
ベースフレーム２４には、ピン２４ｂに隣接してねじ受け２４ｃが設けられ、左サイドフレーム２１の台座には、位置決め孔２１ａに隣接してねじ孔２１ｂが形成されており、このねじ孔２１ｂを通してねじ受け２４ｃにねじを止めることにより、左サイドフレーム２１がベースフレーム２４に固定される。
このように左サイドフレーム２１とベースフレーム２４との位置が決定されると、この左サイドフレーム２１に対してフロント基板カバー１２、リア基板カバー１３及びヘッドフレーム８０を介して右サイドフレーム２２が固定され、その他の部分は左サイドフレーム２１及び右サイドフレーム２２に固定される。
つまり、サーマルプリンタ１００の各部は、ベースフレーム２４のピン２４ｂと左サイドフレーム２１の位置決め孔２１ａとを嵌合させることによって、最適な位置に固定される。
【００２３】
ところで、サーマルプリンタ１００は、サーマルプリンタ１００を接続する対象の機器や、使用目的に合わせて、外部コネクタ３１の種類を変更できるように構成されている。
具体的には、異なる種類の外部コネクタ３１を備えた複数種類のインタフェース基板１１が用意されており、これら複数種類のインタフェース基板１１の中から、接続対象の機器と接続可能な外部コネクタ３１を有するものが選択され、基板コネクタ１０ｉに接続される。インタフェース基板１１を接続・交換する作業は、ねじ３２を外して底板２９からインタフェース基板カバー３０を取り外し、既に接続されているインタフェース基板１１を基板コネクタ１０ｉから引き抜き、新しいインタフェース基板１１を基板コネクタ１０ｉに差し込んでインタフェース基板カバー３０を底板２９に固定することにより、行われる。
【００２４】
ここで、サーマルプリンタ１００において使用可能な複数種類のインタフェース基板１１は、それぞれ、外部コネクタ３１の種類に合わせたインタフェース回路が実装されており、その中には、接続対象の機器から入力されたデータを記憶するためのメモリを有するものもある。このため、各インタフェース基板１１の回路構成は様々であり、実装上の理由から、サイズが異なるインタフェース基板１１が存在する。
インタフェース基板１１の後端に配設された外部コネクタ３１の位置は、インタフェース基板１１のサイズにより決定される。従って、外部コネクタ３１を適切な状態で露出させるために、インタフェース基板カバー３０の後端の位置を外部コネクタ３１に合わせる必要がある。そこで、本実施形態のサーマルプリンタ１００においては、底板２９の位置を変更することにより、インタフェース基板カバー３０の位置をインタフェース基板１１のサイズに合わせて変更できるようになっている。
【００２５】
すなわち、図５及び図７に示すように、ベースフレーム２４には、裏（下）側に突出する円柱状のピン４１（第２の位置決め手段）と、このピン４１に隣接するねじ受け４２とが設けられる。また、底板２９には、ピン４１に嵌合する長孔３５（第２の位置決め手段）と、ねじ受け４２に重なるねじ孔３６とが設けられる。長孔３５にピン４１を嵌合させた状態で、ねじ孔３６を通してねじ受け４２にねじを締め込むことにより、底板２９がベースフレーム２４に固定される。ここで、底板２９の位置は、ピン４１と長孔３５との嵌合状態により決定される。
【００２６】
図８は、図７の長孔３５とピン４１とを特に拡大して示す図である。
図８に示すように、長孔３５は、その幅がピン４１の径と略同一で、且つ、その長さがピン４１の径よりも長く形成された孔である。このため、ピン４１を長孔３５に嵌合させた状態において、ピン４１の位置は、長孔３５の前端（符号Ａ）に接した位置、或いは後端（符号Ｂ）に接した位置の、いずれかにおいて位置決めされる。
例えば、長孔３５の前端（符号Ａ）にピン４１を突き当てた場合、底板２９は、ベースフレーム２４に対して後方側に寄る。また、長孔３５の後端（符号Ｂ）にピン４１を突き当てた場合、底板２９は、ベースフレーム２４に対して前方側に寄る。
従って、サイズの大きいインタフェース基板１１を使用する場合には、インタフェース基板１１の外部コネクタ３１が、より後方に位置するので、長孔３５の前端（符号Ａ）にピン４１を当てればよく、サイズの小さいインタフェース基板１１を使用する場合は、インタフェース基板１１の外部コネクタ３１がより前方に位置するので、長孔３５の後端（符号Ｂ）にピン４１を当てればよい。
これにより、サーマルプリンタ１００においては、底板２９を、ベースフレーム２４に対して前寄り及び後寄りの二位置で固定できるので、少なくとも２種類のサイズのインタフェース基板１１に対応して、インタフェース基板カバー３０の位置を調整できる。
そして、ベースフレーム２４においては、ピン４１及びねじ受け４２が、ベースフレーム２４の左右に一組ずつ、合わせて二組形成される。これに合わせて、底板２９においては、長孔３５及びねじ孔３６が、左右に一組ずつ合わせて二組形成される。このため、ベースフレーム２４に対して底板２９が斜めに固定されることがなく、適切に位置を調整できる。
【００２７】
［変形例］
上記の実施形態においては、長孔３５を、ピン４１よりも長く形成された孔として説明したが、本発明はこれに限定されない。
図９は、本実施形態の変形例における係合孔３７の構成を示す図である。
この図９に示すように、底板２９において、長孔３５に代えてダルマ孔３７を設けてもよい。このダルマ孔は、ピン４１と略同一の径を有する２つの円を重ねた形状を有しており、これら２つの円のうちいずれかにピン４１を嵌合させることができる。この場合、ピン４１は、ダルマ孔３７に対して二位置で嵌合させることができ、ベースフレーム２４に対する底板２９の位置を、二位置から選択できる。
【００２８】
以上、一実施形態に基づいて本発明を説明したが、本発明は、これに限定されるものではない。例えば、上記構成においては、長孔３５の幅をピン４１の径と略同一としたが、底板２９の左右に二組設けられる長孔３５の一方について、幅をより大きくして公差を吸収できるようにしてもよい。また、ねじ受け４２を単なるねじ孔として、ナットを用いてねじ止めできるようにしてもよい。さらに、上記構成においては、左サイドフレーム２１に位置決め孔２１ａを設け、ベースフレーム２４にピン２４ａを設ける構成としたが、逆でもよく、また、底板２９にピン４１を設けてもよいし、その他の細部構成については任意に変更可能である。
また、底板２９の長孔３５、及び、左サイドフレーム２１の位置決め孔２１ａは、貫通孔に限定されず、例えば、ピンに嵌合する凹部としてもよい。
さらに、上記構成においては、ベースフレーム２４の上面に設けられるピン２４ｂに左サイドフレーム２１のみが嵌合するものとしたが、ベースフレーム２４の左右両端部にピン２４ｂを１個ずつ設けて、左サイドフレーム２１と右サイドフレーム２２とが、それぞれピン２４ｂに嵌合するようにしてもよい。この場合、より高精度な位置決めが可能となる。ここで、左サイドフレーム２１若しくは右サイドフレーム２２の一方においてピン２４ｂに嵌合する位置決め孔を、サーマルプリンタ１００の幅方向に延びる長孔としてもよい。この場合、左サイドフレーム２１と右サイドフレーム２２との間に架け渡される各部材の交差を吸収して、左サイドフレーム２１及び右サイドフレーム２２を確実に固定できるという利点がある。
【００２９】
また、上記実施形態では、記録装置としてサーマルプリンタを例示したが、これに限らず、例えば、ドットインパクト方式やインクジェット方式のプリンタであってもよい。さらには、複写機やファクシミリ等の電子写真方式により画像を記録する記録装置に適用することも可能である。
【図面の簡単な説明】
【００３０】
【図１】サーマルプリンタの外観を示す正面斜視図である。
【図２】記録機構部の斜視図である。
【図３】本体フレームの背面斜視図である。
【図４】サーマルプリンタの断面視図である。
【図５】基板近傍の背面斜視図である。
【図６】サーマルプリンタの底面斜視図である。
【図７】インタフェース基板カバーを除いた状態を示す底面斜視図である。
【図８】図７の長孔を特に示す要部拡大図である。
【図９】実施形態の長孔の変形例を示す図である。
【符号の説明】
【００３１】
１…メインケース、７…プラテン、８…サーマルヘッド、１０…メイン基板（第１の基板）、１０ｉ…基板コネクタ（スロット）、１１…インタフェース基板（第２の基板）、１２…フロント基板カバー、１３…リア基板カバー、１６…紙出口、２０…記録機構部、２０ｆ…本体フレーム、２１…左サイドフレーム、２１ａ…位置決め孔（第１の位置決め手段）、２２…右サイドフレーム、２４…ベースフレーム（載置部）、２４ａ…ベースフレーム開口部（開口）、２４ｂ…ピン（第１の位置決め手段）、２９…底板（基板支持部）、３０…インタフェース基板カバー（基板支持部）、３１…外部コネクタ（コネクタ）、３５…長孔（第２の位置決め手段）、３７…ダルマ孔、４１…ピン（第２の位置決め手段）、１００…サーマルプリンタ（記録装置）。
【図１】
2007021999.tif 000003
【図２】
2007021999.tif 000004
【図３】
2007021999.tif 000005
【図４】
2007021999.tif 000006
【図５】
2007021999.tif 000007
【図６】
2007021999.tif 000008
【図７】
2007021999.tif 000009
【図８】
2007021999.tif 000010
【図９】
2007021999.tif 000011